(57)【要約】  摺動面（７）上を転動要素（５）によって互いに摺動可能に取り付けられた案内レール（２）と少なくとも１本の追加レール（３）を備え、追加レール（３、４）を案内レール（２）および／または別の追加レール（３、４）上の所定位置に解除可能に固定する少なくとも１つのロック手段を備える引出しガイド（１）、特に家電製品用の引出しガイドが開示されている。少なくとも１つのロック手段は、レール（２、３、４）上で摺動面（７）から距離を隔てて位置する特殊形状部分（２３、３４、５４、６４、７４、８６、８７、９０、９５、１００、１０５、１１０、１２５）または穴部（１３、４３）と係合可能なばね要素（１０、２０、３０、４０、５０、６０、７０、８０、１２１）を備える。【選択図】  図１
2012507312.tif 000002
【特許請求の範囲】
【請求項１】
案内レール（２、２’、２”、２”’、２””、２””’、２”””、２”””’、２””””）と、少なくとも１本の追加レール（３、３’、３”、４、４’、４”、４”’、４””、４””’、４”””、４”””’、４””””）とを備える引出しガイド（１、１’、１”、１”’、１””、１””’、１”””、１”””’、１””””）、特に家庭用器具用の引出しガイドであって、
前記案内レール（２、２’、２”、２”’、２””、２””’、２”””、２”””’、２””””）および前記少なくとも１本の追加レール（３、３’、３”、４、４’、４”、４”’、４””、４””’、４”””、４”””’、４””””）が、摺動面（７）上を転動要素（５）によって互いに摺動可能に取り付けられており、
前記案内レール（２、２’、２”、２”’、２””、２””’、２”””、２”””’、２””””）および前記少なくとも１本の追加レール（３、３’、３”、４、４’、４”、４”’、４””、４””’、４”””、４”””’、４””””）が、前記追加レール（３、３’、３”、４、４’、４”、４”’、４””、４””’、４”””、４”””’、４””””）を前記案内レール（２、２’、２”、２”’、２””、２””’、２”””、２”””’、２””””）および／または別の追加レール（３、３’、３”、４、４’、４”、４”’、４””、４””’、４”””、４”””’、４””””）上の所定位置に解除可能に固定する少なくとも１つのロック手段を備える、引出しガイド（１、１’、１”、１”’、１””、１””’、１”””、１”””’、１””””）において、
前記少なくとも１つのロック手段が、前記案内レール（２、２’、２”、２”’、２””、２””’、２”””、２”””’、２””””）および前記少なくとも１本の追加レール（３、３’、３”、４、４’、４”、４”’、４””、４””’、４”””、４”””’、４””””）上で前記摺動面（７）から距離を隔てて位置する特殊形状部分（２３、３４、５４、６４、７４、８６、８７、９０、９５、１００、１０５、１１０、１２５）または穴部（１３、４３）と係合することができるばね要素（１０、２０、３０、４０、５０、６０、７０、８０、１２１）を備えることを特徴とする、引出しガイド。
【請求項２】
前記少なくとも１つのばね要素（１０、２０、３０、４０、５０、６０、７０、８０、１２１）が、前記追加レール（３、３’、３”、４、４’、４”、４”’、４””、４””’、４”””、４”””’、４””””）と前記案内レール（２、２’、２”、２”’、２””、２””’、２”””、２”””’、２””””）との間に配置されていることを特徴とする、請求項１に記載の引出しガイド。
【請求項３】
前記少なくとも１つのばね要素（１０、２０、３０、４０、５０、６０、７０、８０）が、２本の前記追加レール（３、３’、４、４’、４”、４”’、４””、４””’、４”””、４”””’）の間に配置されていることを特徴とする、請求項１に記載の引出しガイド。
【請求項４】
前記ばね要素（１０、２０、３０、４０、５０、６０、７０、８０、１２１）により、前記ロック位置でのクランプが行われることを特徴とする、請求項１〜３の一項に記載の引出しガイド。
【請求項５】
前記ばね要素（１０、２０、３０、４０、５０、６０、７０、８０）のクランプ力が調節可能であるように構成されていることを特徴とする、請求項４に記載の引出しガイド。
【請求項６】
前記少なくとも１つの追加レール（３、３’、３”、４、４’、４”、４”’、４””、４””’、４”””、４”””’、４””””）が、引っ込み位置および距離を隔てた伸長位置で前記案内レール（２、２’、２”、２”’、２””、２””’、２”””、２”””’、２””””）にロック可能であることを特徴とする、請求項１〜５の一項に記載の引出しガイド。
【請求項７】
前記追加レールとして、外側の走行レール（４、４’、４”、４”’、４””、４””’、４”””、４”””’、４””””）と、前記走行レール（４、４’、４”、４”’、４””、４””’、４”””、４”””’、４””””）と前記案内レール（２、２’、２”、２”’、２””、２””’、２”””、２”””’、２””””）との間の中間レール（３、３’、３”）とが設けられており、前記中間レール（３、３’、３”）が、第１の転動要素（５）を介して前記走行レール（４、４’、４”、４”’、４””、４””’、４”””、４”””’、４””””）に変位可能に保持され、第２の転動要素（５）を介して前記案内レール（２、２’、２”、２”’、２””、２””’、２”””、２”””’、２””””）に変位可能に保持されていることを特徴とする、請求項１〜６の一項に記載の引出しガイド。
【請求項８】
前記走行レール（４、４’、４”、４”’、４””、４””’、４”””、４”””’、４””””）が、第１のロック手段を介して前記中間レール（３、３’、３”）にロック可能であり、前記中間レール（３、３’、３”）が、第２のロック手段を介して前記案内レール（２、２’、２”、２”’、２””、２””’、２”””、２”””’、２””””）にロック可能であることを特徴とする、請求項７に記載の引出しガイド。
【請求項９】
前記中間レール（３、３’、３”）が、引っ込み位置および距離を隔てた伸長位置で前記案内レール（２、２’、２”、２”’、２””、２””’、２”””、２”””’、２””””）にロック可能であることを特徴とする、請求項７または８に記載の引出しガイド。
【請求項１０】
前記走行レール（４、４’、４”、４”’、４””、４””’、４”””、４”””’、４””””）が、引っ込み位置および距離を隔てた伸長位置で前記中間レール（３、３’、３”）にロック可能であることを特徴とする、請求項７〜９の一項に記載の引出しガイド。
【請求項１１】
前記中間レール（３）の両端側にそれぞれ１つのばね要素（１０、２０、３０、４０、５０、６０、７０）が固定されていることを特徴とする、請求項７〜１０の一項に記載の引出しガイド。
【請求項１２】
前記ばね要素（８０）が、突出部を掛合させることができる湾曲可能なウェブ（８２、８３）を備えることを特徴とする、請求項１〜１１の一項に記載の引出しガイド。
【請求項１３】
前記ばね要素（８０）が、前記レール（２”””’、３’、４”””’）に固定されており、両側に前記湾曲可能なウェブ（８２、８３）が設けられていることを特徴とする、請求項１２に記載の引出しガイド。
【請求項１４】
前記ばね要素（２０、３０、７０）の一端側に、玉（２４、３３）または摺動要素（７３）が設けられていることを特徴とする、請求項１〜１３の一項に記載の引出しガイド。
【請求項１５】
前記ばね要素（１０、４０）が、前記レール（２、２”’、３、４、４”’）の前記穴部（１３、４３）と協働することを特徴とする、請求項１〜１４の一項に記載の引出しガイド。
【請求項１６】
前記ばね要素が、材料による結合、摩擦による結合またはかみ合わせによる結合によって前記レール（２、２’、２”、２”’、２””、２””’、２”””、２”””’、２””””、３、３’、３”、４、４’、４”、４”’、４””、４””’、４”””、４”””’、４””””）に固定されていることを特徴とする、請求項１〜１５の一項に記載の引出しガイド。
【請求項１７】
前記レール（２””””、３’、４””””）の前記特殊形状部分が、傾斜した立上り面を有するウェブ状突出部（９０、９５、１００、１０５、１１０）として設けられていることを特徴とする、請求項１〜１６の一項に記載の引出しガイド。
【請求項１８】
前記ロック手段（１２２）が、前記レール（２””””、３”、４””””）にロック可能なクリップ（１２０）と一体的に設けられていることを特徴とする、請求項１〜１７の一項に記載の引出しガイド。
【請求項１９】
前記クリップ（１２０）を軸線方向に変位させないように、前記レール（２””””、３”、４””””）に特殊形状部分（１２３、１２４）が設けられていることを特徴とする、請求項１８に記載の引出しガイド。
【請求項２０】
前記特殊形状部分（１２３、１２４）が、前記転動要素と重ならない前記中間レール（３”）の前記摺動面（７）に導入されていることを特徴とする、請求項１８および１９に記載の引出しガイド。
【発明の詳細な説明】
【技術分野】
【０００１】
本発明は、摺動面上を転動要素によって互いに摺動可能に取り付けられた案内レールおよび少なくとも１本の追加レールを備え、追加レールを案内レールおよび／または別の追加レール上の所定位置に解除可能に固定する少なくとも１つのロック手段を備える引出しガイド、特に家庭用器具用の引出しガイドに関する。
【背景技術】
【０００２】
米国特許第３，０３９，８３８号明細書には、ウェブ（ｗｅｂ）をクランプ（締付け）状態で挿入させることが可能な２枚のクランプ用壁がＵ字形レールの内側に取り付けられた引出しガイドが示されている。２枚の壁部分の取付けと二重折曲げのタブの製造は比較的複雑である。また、クランプ力は公差に大きく依存する。
【０００３】
独国特許第１９３０１４５号明細書は、ラッチ装置が設けられたローラガイドを開示している。レールの摺動面に、玉の一部が貫入する穴部が設けられている。玉は、ばねによって摺動面に向かって上向きに予め荷重がかけられている。玉は、ローラが玉の上を転動すると下方に押圧され、ラッチ（掛合）状態を発生させることができる。しかしながら、ローラの掛合は、ローラガイドの走行特性が損なわれるという欠点を伴う。
【０００４】
独国特許第３３２９５４１号明細書は、内側レールの転動要素用案内溝の領域に穴部が設けられた家具用引出しガイドを開示している。穴部には、転動要素が穴部上を転動する際に圧縮可能なフォームスプリング（ｆｏｒｍ  ｓｐｒｉｎｇ）が挿入されている。この場合にも、転動要素のロック状態を発生させることができるが、レールの不安定な走行をもたらす。また、転動要素がフォームスプリングに激しく当たる可能性がある。
【発明の概要】
【発明が解決しようとする課題】
【０００５】
したがって、本発明の目的は、レールの所定位置での掛合を可能にするとともに、良好な走行特性を伴う引出しガイドを提供することである。
【課題を解決するための手段】
【０００６】
この目的は、請求項１の特徴を有する引出しガイドによって達成される。
【０００７】
本発明によれば、引出しガイドに、レール上で摺動面から距離を隔てて位置する特殊形状部分または穴部と係合可能なばね要素を備えた少なくとも１つのロック手段が設けられている。これにより、ロックを簡単に行い得るようになり、開閉時に、調整された順次制御が確保される。目的に合わせてばねの力を変えることにより、順次制御を左右することができる。
【０００８】
本発明の一実施形態では、少なくとも１つのばね要素が、走行レールと案内レールとの間に配置されている。これにより、ロック手段は、レールアセンブリに組み込ませることができ、したがって、レールの長手方向に直交して突出しない。また、特にレールが引っ込み位置で互いに重なり合ってロック手段が覆われる際には、汚れに対する保護を実現することができる。そのようなロック手段の保護は、家庭用器具、特にパン焼きオーブンの長期耐用年数にとって有利である。
【０００９】
本発明によれば、ばね要素により、ロック位置でのクランプが行われる。好ましい実施形態では、解除可能な固定が実現されるとともに、走行レールに対する荷重に応じて固定が強弱に選択されるように、ばね要素のクランプ力が調節可能に設けられてもよい。それにより、特にパン焼きオーブンの場合、走行レールが伸長位置で固定された際、前置位置において、調理すべき品目の処理を行うことができる。
【００１０】
本発明の別の実施形態では、走行レールが、引っ込み位置と、そこから距離を置いた伸長位置とで案内レールにロック可能である。これにより、物品を走行レール上に配置した状態で走行レールを開位置または閉位置に固定させることができる。
【００１１】
好ましくは、外側の走行レールと案内レールとの間に、内側の走行レールとして中間レールが設けられており、中間レールは、第１の転動要素を介して走行レールに変位可能に保持され、第２の転動要素を介して案内レールに変位可能に保持されている。その結果、外側の走行レールを完全に伸長可能な引出しガイドの範囲内で、または案内レールより前に１００％＋伸長させて変位させることができる。走行レールは、中間レールに、好ましくは第１のロック手段によってロックされてもよく、中間レールは、その一部を第２のロック手段を介して案内レールにロックされてもよい。これにより、走行レールを複数の互いに距離を隔てた位置でロックさせることが可能な段階的順次制御がもたらされる。中間レールは、引っ込み位置と、そこから距離を置いた伸長位置とで案内レールにロックされてもよい。同様に、走行レールも、引っ込み位置と、そこから距離を置いた伸長位置とで中間レールにロックされてもよい。走行レールが引き出されると、中間レールのリミットストッパにおいて走行レールがロック状態になるまで、走行レールのみが中間レールに対して相対的に変位する。その後、伸長位置のリミットストッパでロック状態に達するまで、中間レールと走行レールとからなるユニットが案内レールに対して相対的に移動する。あるいは、案内レールのリミットストッパで中間レールがロック状態になるまで、引き出している最中、中間レールとともに走行レールが変位するようにしてもよい。その後、伸長位置の中間レールのリミットストッパでロック状態に達するまで、走行レールが中間レールに対して相対的に移動する。その場合、ユーザは、ロック状態によって終端位置の到達に気づき、その保持力のために、ロック位置では、いかなる不注意の閉塞も防止される。
【００１２】
ロック手段は、好ましくは、突出部をロックさせることが可能な湾曲可能なウェブを有するばね要素とすることができる。ばね要素がレールに固定されており、ばね要素が２つのロック手段を形成するように、両側に湾曲可能なウェブが設けられていてもよい。
【００１３】
円滑なロックのために、ばね要素の一端に、玉、ローラまたは摺動要素が設けられている。
【００１４】
本発明の別の実施形態では、ばね要素が、レールの穴部と協働する。代わりに、特殊形状部分、特にウェブ状突出部をレールに型押しすることでも容易に製造することができる。ばね要素は、接着または溶接によってレールと材料で結合されている。あるいは、摩擦による結合またはかみ合わせによる結合による機械的固定も可能である。
【００１５】
ロック手段の単純な取付けのために、ロック手段が、レールにクリップ係止可能な、特にレールのＵ字形の受けに挿入されるクリップと一体的に設けられていてもよい。クリップの外側からの適用も可能である。その場合、クリップを軸線方向に変位させないように、レールに特殊形状部分が設けられていてもよい。
【００１６】
以下、本発明を図面に示すいくつかの実施形態に基づいて説明する。
【図面の簡単な説明】
【００１７】
【図１】Ａ〜Ｄは本発明にかかる引出しガイドの第１の実施形態の図を示す。
【図２】Ａ〜Ｄは本発明の第２の実施形態の図を示す。
【図３】Ａ〜Ｄは本発明の第３の実施形態の図を示す。
【図４】Ａ〜Ｄは本発明の第４の実施形態の図を示す。
【図５】Ａ〜Ｄは本発明の第５の実施形態の図を示す。
【図６】Ａ〜Ｄは本発明の第６の実施形態の図を示す。
【図７】Ａ〜Ｄは本発明の第７の実施形態の図を示す。
【図８】Ａ〜Ｅは本発明の第８の実施形態の図を示す。
【図９】ＡおよびＢは本発明にかかる引出しガイド用のレール部分の図を示す。
【図１０】ＡおよびＢは本発明にかかる引出しガイド用のレール部分の図を示す。
【図１１】ＡおよびＢは本発明にかかる引出しガイド用のレール部分の図を示す。
【図１２】ＡおよびＢは本発明にかかる引出しガイド用のレール部分の図を示す。
【図１３】ＡおよびＢは本発明にかかる引出しガイド用のレール部分の図を示す。
【図１４】ＡおよびＢは本発明にかかる引出しガイド用のレール部分の図を示す。
【図１５】引出しガイドの別の実施形態の図を示す。
【図１６】引出しガイドの別の実施形態の図を示す。
【図１７】引出しガイドの別の実施形態の図を示す。
【図１８】引出しガイドの別の実施形態の図を示す。
【図１９】引出しガイドの別の実施形態の図を示す。
【図２０】引出しガイドの別の実施形態の図を示す。
【図２１】引出しガイドの別の実施形態の図を示す。
【発明を実施するための形態】
【００１８】
引出しガイド１は、パン焼きオーブンなどの家庭用器具や家具、その他のコンポーネントの側壁に固定可能な案内レール２を備えている。案内レール２には、転動要素５を介して中間レール３が変位可能に保持されている。中間レール３には、更なる転動要素５を介して走行レール４が変位可能に保持されている。転動要素５は、組み合わされて複数の群にされた転動要素保持器６に保持されている。
【００１９】
中間レール３には、両側のそれぞれに１つのばね要素１０が設けられている。ばね要素１０は、一部分１１が、例えば、溶接、接着、機械的固定手段などによって中間レール３に固定されている。ばね要素１０は湾曲可能なウェブを備えており、このウェブにはＶ字形突出部１２が設けられている。その結果、その両側にそれぞれ傾斜した立上り面１４、１５が設けられている。ばね要素１０は、Ｖ字形突出部１２において、走行レール４の矩形穴部１３または案内レール２の穴部１６に掛合することができる。穴部１３、１６の他の幾何学形状もあり得る。穴部１３、１６は、転動要素５用の摺動面７から距離を隔てて配置されている。
【００２０】
伸長したロック位置では、突出部１２が、走行レール４の穴部１３、または案内レール２の穴部１６内に係合する。ロック解除のためには、中間レール３を、走行レール４または案内レール２に対して相対的に移動させ、その結果、立上り面１４または立上り面１５が壁と当接状態になり、突出部１２が穴部１３または穴部１６から持ち上げられる。その後、ばね要素１０の突出部１２は、走行レール４の案内レール２に沿って摺動することができ、突出部１２の摺動経路と穴部１３、１６は転動要素５用の走行軌道７から距離を隔てて配置されている。
【００２１】
図１Ａは、引出しガイド１の引っ込んだロック位置を示す。この位置では、走行レール４と案内レール２が中間レール３を２つのばね要素１０とともに覆うことにより、ばね要素１０が保護されるように配置される。引っ込み位置では、一方のばね要素１０が案内レール２の穴部１７に掛合し、他方のばね要素１０が走行レール４の穴部１９に掛合する。
【００２２】
走行レール４が伸ばされると、一方のばね要素１０が最初にロック位置から解除され、リミットストッパに達してばね要素１０が走行レール４の穴部１３に掛合するまで、走行レール４のみが最初に中間レール３と案内レール２とからなるユニットに対して相対的に移動する。その後、同様にリミットストッパに達してばね要素１０が中間レール３の穴部１６に掛合するまで、中間レール３が走行レール４とともに案内レール２に対して相対的に移動する。あるいは、引出し過程の間、案内レールのリミットストッパにおいて中間レール３が掛合状態になるまで、走行レール４が中間レール３とともに変位することも可能である。その後、伸長位置で中間レール３のリミットストッパにおいて掛合状態に達するまで、走行レール４が中間レール３に対して相対的に移動する。この引出しガイド１の段階的伸長は、調整された順次制御をもたらし、走行レール４は、案内レール２の互いに間隔を隔てた３位置でロック可能である。
【００２３】
図２Ａ〜図２Ｄは引出しガイド１’の変更実施形態を示し、この変更実施形態では、中間レール３の両側のそれぞれに１つのばね要素２０が固定されている。各ばね要素２０は、一部分２１が中間レール３に固定されており、湾曲可能なウェブを備えている。ばね要素２０の湾曲可能なウェブの一端側には、玉２４を備えた固定装置２２が設けられている。玉２４は、樋形の型押し部２３、２５、２６、２７にロックされ得る。移動の手順は先の実施形態と同様に行われる。
【００２４】
図３Ａ〜図３Ｄは引出しガイド１”の別の実施形態を示し、この引出しガイド１”は、案内レール２”、中間レール３、および走行レール４”を備える。この引出しガイドには、中間レール３の両端側にそれぞれ１つのばね要素３０が取り付けられている。各ばね要素３０は、鞘状に設けられて中間レール３に固定された１つのハウジング３１を備えている。ハウジング３１内には、一方の側でハウジング３１の底部に支持され、他方の側で玉３３に支持された圧縮ばね３２が配置されている。玉３３は、ハウジング３１から抜け出さないようにされている。ばね要素３０をロックさせるために、予め荷重をかけられた玉が、走行レール４”または案内レール２”の型押し部３４内に係合する。この実施形態においても、走行レール４”は、互いに間隔を隔てた３位置でばね要素３０を介してロック可能である。
【００２５】
図４Ａ〜図４Ｄは引出しガイド１”’の第４の実施形態を示し、この第４の実施形態では、中間レール３を走行レール４”’または案内レール２”’にロックさせるためのばね要素４０が設けられている。ばね要素４０は、一端側が中間レール３に固定されたウェブ状部分４１を備えている。ばね要素４０には、傾斜した立上り面を有するＶ字形突出部４２がさらに設けられており、Ｖ字形突出部４２は、走行レール４”’または案内レール２”’の各穴部４３にロック可能である。
【００２６】
図５Ａ〜図５Ｄはばね要素５０の第５の実施形態を示し、このばね要素５０は、中間レール３の一端側に固定されている。ばね要素５０は、中間レール３に固定された管状ハウジング５１を備えており、ハウジング５１内には、圧縮ばね５２が配置されている。圧縮ばね５２は、両側で、ハウジング５１内のストッパによって脱落しないようにされた変位可能ピストン５３に接している。ピストン５３は、圧縮ばね５２の力に抗してハウジング５１内に押し込むことができる。その結果、ピストン５３は、走行レール４””または案内レール２””にそれぞれ設けられた樋形型押し部５４、５５に掛合することができる。中間レール３の一方の側で変位可能ピストン５３の係合が走行レール４””と案内レール２””に対して同時に実現されるようなばね要素５０の配置により、走行レール４””の内方押込み位置での二重ロックが可能になる。その理由は、走行レール４””が内方押込み位置で２個のロック手段を介して中間レール３に保持され、中間レール３も２個のロック手段を介して案内レール２””に保持されるからである。伸長位置では、走行レール４””が、一方のばね要素５０のみで中間レールにロックされる。
【００２７】
図６Ａ〜図６Ｄは別の実施形態を示し、この実施形態では、図３Ａ〜図３Ｄの実施形態と同様に、中間レール３の一端側に圧縮ばね６２付きポット形ハウジング６１が固定されている。圧縮ばねは、変位可能ピストン６３とともにばね要素を形成している。ピストン６３は、圧縮ばね６２の力により、走行レール４””’または案内レール２””’の樋形型押し部６４にロック可能である。
【００２８】
図７Ａ〜図７Ｄは引出しガイド１”””の別の実施形態を示し、この実施形態では、中間レール３の端部側にそれぞれ１つのばね要素７０が固定されている。ばね要素７０は、溶接、接着または他の方法で中間レール３に固定された部分７１を備えている。ばね要素７０は、一端にローラ７３が保持された湾曲可能なウェブ７２をさらに備えている。ローラ７３は、摺動要素として設けることができる。ばね要素７０は、移動すると、走行レール４”””または案内レール２”””の突出部７４にロック可能である。それぞれ異なる位置でのロックを可能にするために、ローラ７３の走行軌道に沿って複数個の突出部７４が設けられてもよい。
【００２９】
図８Ａ〜図８Ｅは引出しガイドの第８の実施形態を示し、この第８の実施形態では、走行レール４”””’および案内レール２”””’にそれぞれ１つのばね要素８０が固定されている。中間レール３’上には、突出部８６の形状で設けられた特殊形状部分が配置されている。ばね要素８０は、走行レール４”””’または案内レール２”””’の側壁に固定されたタブ８１を備えている。タブ８１には、タブ８１の両側で突出するウェブ８２、８３が軽く曲げられた状態で設けられており、各ウェブ部８２、８３には、両側に傾斜した立上り面８５が形成された可撓性のＶ字形突出部８４が形成されている。ばね要素８０のロックは、突出部８６の形状の特殊形状部分が弾性の突出部８４を越えるように摺動し、Ｖ字形突出部８４の背後に掛合するようにして行われ、Ｖ字形突出部８４を乗り越えた後には、突出部８６がさらに移動することを妨げるリミットストッパが設けられている。この実施形態では、タブ８１のみが引出しガイドの内部空間の外側に配置されている一方、湾曲可能な突出部８４は、案内レール２”””’と走行レール４”””’との間に保護されるように配置されている。
【００３０】
図９〜図１４は様々なレール部分８９を示し、それぞれ、上述のばね要素１０、２０、３０、４０、５０、６０、７０、８０と協働可能な型押し部または特殊形状部分を示している。各レール部分８９は、案内レール２〜２”””’、中間レール３および／または走行レール４〜４”””’の構成部品となり得る。各レール部分８９には、転動要素５用の摺動面が設けられており、型押し部および特殊形状部分は、これらの摺動面７から距離を隔てて設けられている。
【００３１】
図９Ａおよび図９Ｂでは、２つの摺動面７の間に矩形の穴部１３が設けられている。
【００３２】
図１０Ａおよび図１０Ｂでは、穴部の代わりに型押し部９０が形成されており、型押し部は、両側に傾斜した立上り面９１を備えるウェブによって形成され、内側に突出部が、外側に凹陥部が形成されている。
【００３３】
図１１Ａおよび図１１Ｂに示すレール部分８９には、２つの摺動面７間に突出部９５が設けられており、突出部は、内側にＶ字形凹部が形成されるように外側に向かって突出している。凹部は、突出部９５の脚部９６、９７が異なる長さであるため、非対称に形成されている。
【００３４】
レール部分８９に関する図１２Ａおよび図１２Ｂに示す実施形態では、レール部分８９の内側に向かって突出し、間隔を置いた２つの突出部１０１を有する型押し部１００が設けられており、突出部１０１間には、掛合用の樋状部１０３が設けられている。外側には、互いに間隔を置いた２つの凹部１０２が設けられている。
【００３５】
図１３Ａおよび図１３Ｂに示す実施形態では、それぞれ異なる長さの脚部１０６、１０７を有するウェブ状に成形された、内側に突出する型押し部１０５が形成されている。脚部１０６、１０７は、異なる角度でレール部分８９の長手方向軸線に対して並んでいる。
【００３６】
図１４Ａおよび図１４Ｂは、対称形に設けられ、両側に傾斜した立上り面１１１を形成した外側に突出する型押し部１１０が設けられたレール部分８９を示す。
【００３７】
図１５〜図２１は別の引出しガイドを示し、この引出しガイドにおいては、断面がＵ字形の案内レール２””””上にやはり断面がＵ字形のクリップ１２０が嵌挿されている。クリップ１２０は、折曲部１２２が形成されてほぼＶ字形の外形を有する一体的に設けられたウェブ１２１を備えている。クリップ１２０を軸線方向に変位させないようにするため、案内レール２””””に、クリップ１２０のストッパを形成する、内側に突出する２つの特殊形状部分１２３、１２４が形成されている。
【００３８】
突出した折曲部１２２を有するウェブ１２１は、引出しガイドの中間レール３に形成された突出部１２５と協働する。突出部１２５を乗り越えると、ウェブ１２１は旋回し、それにより、中間レール３”がその後、クリップ１２０に掛合することになる。
【００３９】
クリップ１２０は、案内レール２””””の内側に取り付けられている。クリップ１２０を案内レール２””””の外側に嵌挿させることも可能である。さらに、別のクリップ１２０を案内レール２””””および／または走行レール４””””に同様にして簡単に取り付けることもできる。
【００４０】
案内レール２””””の底面には、長手方向軸線に対して垂直に延びるＵ字形受け部１１６を備えた保持クリップ１１５がさらに固定されている。保持クリップ１１５には、突出部１１７を有する湾曲可能なウェブが設けられており、ウェブは、例えばパン焼きオーブンに取り付けられる場合など、水平バー、特に側面格子のバーに保持クリップ１１５をロックさせるために使用される。
【００４１】
各実施形態は、引出しガイドを形成する３本のレールを示している。１つ以上のばね要素を介して別々の位置にロック可能な２本または４本以上のレールを有する引出しガイドを提供することも当然ながら可能である。ばね要素の数は、各用途にとって引出しガイドが最適化されるように選択される。
【符号の説明】
【００４２】
１  引出しガイド
１’  引出しガイド
１”  引出しガイド
１”’  引出しガイド
１””  引出しガイド
１””’  引出しガイド
１”””  引出しガイド
１”””’  引出しガイド
１””””  引出しガイド
２  案内レール
２’  案内レール
２”  案内レール
２”’  案内レール
２””  案内レール
２””’  案内レール
２”””  案内レール
２”””’  案内レール
２””””  案内レール
３  中間レール
３’  中間レール
３”  中間レール
４  走行レール
４’  走行レール
４”  走行レール
４”’  走行レール
４””  走行レール
４””’  走行レール
４”””  走行レール
４”””’  走行レール
４””””  走行レール
５  転動要素
６  転動要素保持器
７  摺動面
１０  ばね要素
１１  部分
１２  Ｖ字形突出部
１３  矩形の穴部
１４  立上り面
１５  立上り面
１６  穴部
１７  穴部
１９  穴部
２０  ばね要素
２１  部分
２２  固定装置
２３  型押し部
２４  玉
２５  型押し部
２６  型押し部
２７  型押し部
３０  ばね要素
３１  ハウジング
３２  圧縮ばね
３３  玉
３４  型押し部
４０  ばね要素
４１  ウェブ
４２  Ｖ字形突出部
４３  穴部
５０  ばね要素
５１  管状ハウジング
５２  圧縮ばね
５３  変位可能ピストン
５４  樋形型押し部
５５  樋形型押し部
６０  ばね要素
６１  ポット形ハウジング
６２  圧縮ばね
６３  変位可能ピストン
６４  樋形型押し部
７０  ばね要素
７１  部分
７２  湾曲可能なウェブ
７３  ローラ
７４  突出部
８０  ばね要素
８１  タブ
８２  ウェブ
８３  ウェブ
８４  Ｖ字形突出部
８５  傾斜した立上り面
８６  突出部
８９  レール部分
９０  型押し部
９１  傾斜した立上り面
９５  突出部
９６  脚部
９７  脚部
１００  型押し部
１０１  突出部
１０２  凹部
１０３  樋状部
１０５  型押し部
１０６  脚部
１０７  脚部
１１０  型押し部
１１１  傾斜した立上り面
１１５  保持クリップ
１１６  受け部
１１７  突出部
１２０  クリップ
１２１  ウェブ
１２２  折曲部
１２３  特殊形状部分
１２４  特殊形状部分
１２５  突出部
【図１Ａ】
2012507312.tif 000003
【図１Ｂ】
2012507312.tif 000004
【図１Ｃ】
2012507312.tif 000005
【図１Ｄ】
2012507312.tif 000006
【図２Ａ】
2012507312.tif 000007
【図２Ｂ】
2012507312.tif 000008
【図２Ｃ】
2012507312.tif 000009
【図２Ｄ】
2012507312.tif 000010
【図３Ａ】
2012507312.tif 000011
【図３Ｂ】
2012507312.tif 000012
【図３Ｃ】
2012507312.tif 000013
【図３Ｄ】
2012507312.tif 000014
【図４Ａ】
2012507312.tif 000015
【図４Ｂ】
2012507312.tif 000016
【図４Ｃ】
2012507312.tif 000017
【図４Ｄ】
2012507312.tif 000018
【図５Ａ】
2012507312.tif 000019
【図５Ｂ】
2012507312.tif 000020
【図５Ｃ】
2012507312.tif 000021
【図５Ｄ】
2012507312.tif 000022
【図６Ａ】
2012507312.tif 000023
【図６Ｂ】
2012507312.tif 000024
【図６Ｃ】
2012507312.tif 000025
【図６Ｄ】
2012507312.tif 000026
【図７Ａ】
2012507312.tif 000027
【図７Ｂ】
2012507312.tif 000028
【図７Ｃ】
2012507312.tif 000029
【図７Ｄ】
2012507312.tif 000030
【図８Ａ】
2012507312.tif 000031
【図８Ｂ】
2012507312.tif 000032
【図８Ｃ】
2012507312.tif 000033
【図８Ｄ】
2012507312.tif 000034
【図８Ｅ】
2012507312.tif 000035
【図９Ａ】
2012507312.tif 000036
【図９Ｂ】
2012507312.tif 000037
【図１０Ａ】
2012507312.tif 000038
【図１０Ｂ】
2012507312.tif 000039
【図１１Ａ】
2012507312.tif 000040
【図１１Ｂ】
2012507312.tif 000041
【図１２Ａ】
2012507312.tif 000042
【図１２Ｂ】
2012507312.tif 000043
【図１３Ａ】
2012507312.tif 000044
【図１３Ｂ】
2012507312.tif 000045
【図１４Ａ】
2012507312.tif 000046
【図１４Ｂ】
2012507312.tif 000047
【図１５】
2012507312.tif 000048
【図１６】
2012507312.tif 000049
【図１７】
2012507312.tif 000050
【図１８】
2012507312.tif 000051
【図１９】
2012507312.tif 000052
【図２０】
2012507312.tif 000053
【図２１】
2012507312.tif 000054
【国際調査報告】
2012507312.tif 000055
2012507312.tif 000056
2012507312.tif 000057
2012507312.tif 000058